(57)【特許請求の範囲】
【請求項１】
液状農薬または液状肥料が充填される容器(1)と、該容器(1)の口筒(14)に螺合して取付けられる蓋体(2)とを有する包装体であって、該蓋体(2)において螺条を内周面に設けた螺筒(6)を、天板(5)を越えて上方に延長させた第２円筒(7)を設け、該第２円筒(7)の内周面に計量カップ(3)をその開口部を下向きにして保持する固定手段を備え、該固定手段が、計量カップ(3)の筒先部の外周面の凸部と嵌合するような、第２円筒の内周面に形成された凹部(10)であり、該第２円筒(7)の下部にパッキン(11)が装着されていることを特徴とする液状農薬または液状肥料用の包装体。
【発明の詳細な説明】
【０００１】
【発明の属する技術分野】
液状農薬または液状肥料の個々の計量カップを紛失することがないように、各容器に収納することが可能な包装体およびそれを用いた計量カップの収納方法に関する。
【０００２】
【従来の技術および発明が解決しようとする課題】
現在、種々の農薬（殺虫剤、殺菌剤、除草剤等）や肥料が市販されているが、その使用者は農家や園芸業者だけに留まらず、ガーデニングブームも関係して広く一般家庭にまで底辺を広げてきている。一般家庭で行われる家庭菜園やガーデニングでは、狭い面積に種々の野菜、草花、観葉植物が植えられる為、使用される量は少量であるものの、対象（植物、害虫、病害、雑草）に応じて種々の農薬が使用される。
市販されている農薬の剤型としては、そのまま使用できるエアゾール剤、スプレー剤、粉剤、粒剤、水等で希釈して使用する乳剤、液剤等の剤型がある。また、肥料においても固形粒状、スティック状、濃縮液体等がある。
農薬や肥料の使用時において、その用法・用量を正確に守ることは重要であるが、水等で希釈して使用する剤型の農薬を使用する場合、所定の濃度に希釈する作業が必要であり、その際に濃度の高い液状農薬または液状肥料を計量する作業が発生する。
【０００３】
水で希釈するタイプの液状農薬や液状肥料は種々な形態で包装され、商品化されているが、その多くはガラスあるいはプラスチック製の蓋付き容器に充填されて販売されている。これらの液状農薬や液状肥料は、散布時には所定量を計量し、多くの場合には水で希釈して、対象物に噴霧される。希釈濃度は、薬剤の種類により様々であるが、１００〜１０００倍の高希釈倍率のものもある。
農家や園芸業者等の防除を日常的に行っている作業者の場合には、通常は別途用意しておいた計量カップまたはメスシリンダー等を用いて所定量を計量するが、農薬散布や施肥する機会の多くない家庭園芸を楽しんでいる一般家庭の所謂“ホビー農家”においては、専用の計量器を準備している例は多くない。
【０００４】
この為、市販の家庭園芸用液状農薬では、各々の包装体に計量カップを付属させている場合もある。しかしながら、該計量カップは液体農薬が充填された容器とは別体である為に、紛失したり、保管中にどの薬剤用の計量カップなのか判らなくなったりするという問題があった。これに対して、例えば登録実用新案公報第３０１５１４２号には、ボトル状の容器本体に計量カップを兼ねた外蓋を装着させた計量カップ付き容器（該容器の構成を図１に示す）が提案されている。該容器では、計量カップの内側に、口筒に螺合される内蓋が装着されている。
ところで、一部の農薬においては水生生物に対する比較的高い毒性を有するものがある。この為、農薬の取り扱い説明書においては、“容器等の洗浄水は用水路・下水に流さないで下さい。”等の注意書きがしばしば記載されている。農薬の毒性に対する知識が十分でないホビー農家にとっては、容器等を洗浄した後の洗浄水をどのように処理するのかと頭を悩ませることとなる。即ち、小さな計量カップであっても、農薬の希釈水を調製する度に洗浄するということはなるべく避けたいと感じている。
しかしながら、上記の計量カップ付き容器では、計量カップが容器本体の上部に固定される構成であり、例えば液状農薬または液状肥料が付着した計量カップを固定した場合、容器本体のみならず口筒に装着された蓋をも汚すことになる。この為、該容器に計量カップを固定して保管するには、使用者は農薬または肥料の希釈水を調製する度に、必ず計量カップを洗浄しなければならない。
【０００５】
【課題を解決するための手段】
かかる状況下に本発明者らは、容器本体およびその蓋体を汚すことなく、計量カップを該容器に固定する機構について鋭意検討した結果、容器の口筒に螺合する螺条を内周面に設けた螺筒と、容器の口筒の上端と接する天板を有する蓋体において、該螺筒を上方に延長させた第２円筒を設け、該第２円筒の内周面に計量カップを保持する固定手段を設けることにより、液状農薬または液状肥料が付着した計量カップを、容器および蓋体を汚すことなく、包装体に収納できることを見出し、本発明を完成するに至った。
即ち、本発明は、液状農薬または液状肥料が充填される容器(1)と、該容器(1)の口筒(14)に螺合して取付けられる蓋体(2)とを有する包装体であって、該蓋体(2)において螺条を内周面に設けた螺筒(6)を、天板(5)を越えて上方に延長させた第２円筒(7)を設け、該第２円筒(7)の内周面に計量カップを保持する固定手段を備えることを特徴とする液状農薬または液状肥料用の包装体、および、液状農薬または液状肥料用の包装体の蓋体(2)の天板(5)の上方に設けられた円筒(7)の内側に、液状農薬または液状肥料用の計量カップ(3)を開口部を下向きにして取り付ける収納方法を提供する。
本発明の包装体によれば、個々の液状農薬または液状肥料の計量カップ(3)を、使用後に洗浄することなく、個々の液状農薬または液状肥料の包装体に収納でき、保管時に計量カップを紛失したりしない。
【０００６】
【発明の実施の形態】
本発明において、液状農薬とは活性成分として殺虫剤（例えば、アセフェート、マラソン、ＭＥＰ、ペルメトリン、アセタミプリド、エトフェンプロックス、ケルセン、エトキサゾール）、殺菌剤（例えば、ＴＰＮ、チオファネートエチル、マンネブ、トリホリン）、除草剤（ＤＣＰＡ、ＮＡＣ、トリクロピル、グリホサートイソプロピルアミン塩、ＭＣＰＡナトリウム塩）、植物生長調節剤（例えば、パクロブトラゾール、４−ＣＰＡ）等を含有する液状の製剤であり、乳剤等の油製液体製剤、液剤、マイクロエマルジョン、サスポエマスジョン、懸濁製剤、エマルジョン製剤、マイクロカプセル懸濁等の水性農薬製剤等である。液状肥料とは肥料成分として窒素、リン酸、カリウムの三大要素、カルシウム、マグネシウム、硫黄、マンガン、亜鉛等の微量要素を含有する液状肥料であり、いわゆる液肥、懸濁型肥料等である。
本発明おける液状農薬または液状肥料が充填される容器(1)は、液状物の収納部であり、その材質は、液状農薬または液状肥料により侵されない材質であれば特に限定されず、金属、硝子、合成樹脂が挙げられる。該容器は口筒(14)部分に蓋体(2)と螺合する螺条を有する。
本発明における蓋体(2)は、上記の容器(1)の口筒(14)部と螺合する螺条を内面に有す螺筒(6)と、該螺筒(6)に連接する天板(5)と、該螺筒(6)を該天板(5)を越えて上方に延長させた第２円筒(7)とからなる。該第２円筒(7)の内周面には、後述する計量カップ(3)を保持する固定手段を備えている。また、本発明の蓋体は、必要により天板の下側に、容器との密閉性を向上させる為のパッキン(15)を備えていてもよく、螺筒(6)の裾部にＴＥ性（いたずら防止性）を有すバンド部を備えていてもよい。該蓋体(2)の材質は、合成樹脂（例えば、ポリエチレン、ポリプロピレン）であり、顔料により着色されていてもよい。第２円筒(7)における計量カップを保持する固定手段としては、開口部を下にした計量カップが容易に脱落しないように保持する機能を有するものであれば特に限定されないが、保管時に液状農薬または液状肥料の臭気が漏れないように、計量カップの開口部を密着した状態で保持できるものが好ましい。具体的には、計量カップの筒先部の外周面に螺条を形成しておき、該螺条と螺合するような螺条(8)を第２円筒の内周面に形成するか、あるいは、計量カップの筒先部の外周に凸部(9)を形成しておき、該凸部と嵌合するような凹部(10)を第２円筒の内周部に形成する。また、計量カップ(3)を固定した際に、密閉性を確保する為に、第２円筒(7)下部にパッキン(11)を装着してもよい。
本発明の包装体にて用いられる計量カップ(3)は、上記の蓋体(2)の第２円筒(7)の内周に保持されるものである。形状は、有底の円筒、または有底円筒の開口部をやや広げたものであり、透明ないし半透明の合成樹脂性である。該計量カップ(3)の側面には、目的とする液状農薬または液状肥料の容量に応じた目盛(4)が付してある。また、上記の蓋体(2)の第２円筒(7)の内周に形成された固定手段に対応する構造を有している。
【０００７】
【発明の効果】
本発明の包装体は、液状農薬または液状肥料の計量に用いられる計量カップを、個々の包装体に収納でき、保管時に計量カップを紛失することがない。また、収納時の形態において特長を有する為、液状農薬または液状肥料が内面に付着したままでも、包装体の容器や開閉時に触れる蓋体の握り部分を汚染することがない。また、該計量カップを密閉的に収納できる場合は、該計量カップに付着した液状農薬または液状肥料の臭気が外部に漏れ出すこともない。
【図面の簡単な説明】
【図１】従来の計量カップ付き容器の包装体を縦断した全体正面図である。
【図２】本発明の一実施例である包装体の全体正面図、右半分は断面図である。この実施例では、計量カップは蓋体に対して螺合により固定されている。
【図３】本発明における蓋体と計量カップを縦断した正面図である。この実施例では、計量カップは筒先に形成された凸部を蓋体に嵌合させることにより固定する。
【符号の説明】
１    容器
２    蓋体
３    計量カップ
４    目盛
５    蓋体の天板
６    蓋体の螺筒
７    蓋体の第２円筒
８    第２円筒の螺条
９    計量カップの凸部
１０    第２円筒の凹部
１１    計量カップ用パッキン
１４    容器の口筒
１５    容器側のパッキン
【図１】
0004792668.tif 000002
【図２】
0004792668.tif 000003
【図３】
0004792668.tif 000004